(57)【要約】【課題】 地方、特に山間部では、道路に電灯がほとんどなく、夜間自動車で走行するとヘッドライトが当たる部分しか見えない。ヘッドライトが当たっている部分にしても、遠くになると全体として少し明るい程度で道路の方向がはっきりと識別できるまではなかなかいかない。  また、舗装路自体摩滅してくると摩擦係数が小さくなり、滑りやすくなる。これは自動車だけでなく自転車や人においても事故の大きな原因となる。  そこで、夜間での視認性がよくなり、且つ滑り止めになるような舗装路の処理方法を提供する。【解決手段】舗装路の凹部に、ガラスビーズと硬化後透水性を有する樹脂モルタルを充填する方法。【選択図】  図１
2008196269.tif 000002
【特許請求の範囲】
【請求項１】
舗装路の凹部に、ガラスビーズと硬化後透水性を有する樹脂モルタルを充填することを特徴とする舗装路の処理方法。
【請求項２】
該ガラスビーズは、樹脂モルタルに混合されているものである請求項１記載の舗装路の処理方法。
【請求項３】
該ガラスビーズは、樹脂モルタル充填後上部から散布、押圧して充填されるものである請求項１記載の舗装路の処理方法。
【請求項４】
該凹部は舗装路完成後研削によって設けた溝である請求項１〜３記載の舗装路の処理方法。
【請求項５】
該ガラスビーズのサイズは、０．１〜５．０ｍｍである請求項１〜４記載の舗装路の処理方法。
【請求項６】
該樹脂モルタルは、ガラスビーズ以外に骨材として破砕形状の無機物質を含有するものである請求項１〜５記載の舗装路の処理方法。
【発明の詳細な説明】
【技術分野】
【０００１】
本発明は、舗装路の処理方法に関するものである。
【背景技術】
【０００２】
都会の道路等では、道路の幅や方向が夜見えにくい等ということは考えにくいが、地方、特に山間部では、道路に電灯がほとんどなく、夜間自動車で走行するとヘッドライトが当たる部分しか見えない。
ヘッドライトが当たっている部分にしても、遠くになると全体として少し明るい程度で道路の方向がはっきりと識別できるまではなかなかいかない。
【０００３】
このようなことを防止するため、舗装材に蓄光顔料やガラス片を混合する方法も考えられる。
しかし、蓄光顔料は非常に高価であるため使用は難しい。また、ガラス片を混合する方式では、アスファルト表面のガラス片は通常その硬度が低いため磨耗しやすく効果が失われやすい。
【０００４】
また、舗装路自体摩滅してくると摩擦係数が小さくなり、滑りやすくなる。これは自動車だけでなく自転車や人においても事故の大きな原因となる。
【発明の開示】
【発明が解決しようとする課題】
【０００５】
そこで、夜間での視認性がよくなり、且つ滑り止めになるような舗装路の処理方法を提供する。
【課題を解決するための手段】
【０００６】
以上のような現状に鑑み、本発明者は鋭意研究の結果本発明処理方法を完成したものであり、その特徴とするところは、舗装路の凹部に、ガラスビーズと硬化後透水性を有する樹脂モルタルを充填する点にある。
【０００７】
ここでいう舗装路とは、アスファルト路だけに限らずコンクリートやその他の一般的に舗装路と呼ばれているものを含む。勿論、道路だけでなく、広場のような地域も含む。
【０００８】
舗装路の凹部とは、舗装路の表面レベルより凹んだ部分をいい、舗装時に形成されたものでも、舗装後に研削によって形成したものでもよい。舗装時に形成される凹部とは、例えば、排水性アスファルト舗装の骨材間隙等である。
【０００９】
また、舗装後に研削によって形成するとは、いわゆる道路カッターで削る方法、サンドブラストやショットブラストで削る方法等である。このように研削して形成する凹部の形状は、円形、矩形、長い溝状等自由である。
【００１０】
この研削によって形成する凹部の深さは限定はしないが、１〜３０ｍｍ程度がよく、特に５〜１０ｍｍが好適である。また、視認性については凹部の形状は種々考えられ、連続的（長いもの）でも、散在的でもよい。溝も幅は１０〜５０ｍｍ程度が好適である。
【００１１】
しかし、後述する透水をも考慮するならば、溝状にして道路の側溝につながるようにするか、道路の長手方向に沿って溝を長く設けるようにしてもよい。これは道路の表面水をできるだけ少なくして自動車のスリップ事故を防止するためである。
【００１２】
ガラスビーズとは、ガラスを球形、楕円形など（おおよそでよい）にしたものをいう。サイズは０．１〜５ｍｍ程度である。これは市販しているものでよく特別なものである必要はない。
このガラスビーズの周囲の一部又は全部に蓄光顔料を固着したものでもよい。視認性がより向上する。
ガラスビーズは、光学的には透明性が良く、屈折率の高いものが好ましく、物理的には耐磨耗性に優れ、圧縮強度の高いものが望ましい。
【００１３】
ここでいう樹脂モルタルとは、樹脂と骨材を混合したものであり、この骨材の全部又は一部として本発明ではガラスビーズを用いている。
樹脂はアクリル系、エポキシ系、ウレタン系等自由である。
【００１４】
前記したガラスビーズは、この樹脂モルタルに混合してもよいが、混合せず樹脂モルタルを充填後、表面に散布し押圧して表面に一部又は全部埋め込んでもよい。更に、その上からトップコート（樹脂散布）してもよい。
樹脂モルタルに混合して充填する方法は、散布、押圧等の工程が不要であり工事が簡単である。また、表面に散布する方法では、高価なガラスビーズが少量で済むため経済的である。
【００１５】
樹脂には、ガラスビーズを混合する場合でも、しない場合でも、骨材として通常のものを混合してもよい。例えば、石、セラミック、ガラス（ビーズ以外の）、プラスチック、蓄光顔料等である。
これらの骨材のサイズも通常の樹脂モルタル程度でよく、０．１〜５ｍｍ程度が好適である。
【００１６】
また、これらの骨材の全部又は１部を破砕形状にしてもよい。破砕形状とは、砕いたままの形状であり、球形や正多角形とは異なる。これは、それ自身の飛散（脱離）を防止するためと、道路表面の滑り止めである。
骨材のサイズは、０．１〜５．０ｍｍが好適である。あまり細かいものが多いと後述する空隙率が小さくなる。
【００１７】
本発明で使用する樹脂モルタルは、硬化後透水性を有するものである。硬化後透水性を有するかどうかは、樹脂と骨材の比率、及び骨材の大きさ、粒度分布で決まるものである。よって、これらを限定することは難しいが、連続空隙を有し透水性を有するものであることは間違いない。
空隙率としては、１０〜４０％程度が好適である。
【００１８】
本発明樹脂モルタルの混合例（ガラスビーズも混合する例）としては、
１  樹脂が３〜３０重量％、
２  セラミック骨材が０〜８０重量％、
３  ガラスビーズが１０〜９７重量％である。
また、これ以外にも建築、土木に使用する樹脂モルタルに混合するようなものを入れてもよい。
【００１９】
次に凹部への樹脂モルタルの充填方法は、凹部の舗装路の表面レベルから出ないように充填するのが好ましい。他の面との凹凸をなくすためである。しかし、少々突出していても問題はない。
充填の方法は、スプレー、コテで充填、トロウェルなどの機械施工、その他どのような方法でもよい。
【発明の効果】
【００２０】
本発明舗装路の処理方法には、次のような大きな利点がある。
（１）  ガラスビーズが混合されているため、夜間自動車のヘッドライトや街灯の光を反射してきらきら光り非常に見えやすくなる。よって、山間部であっても先の道路の様子がよくわかる。
（２）  凹部に充填しているため、自動車のタイヤその他による摩滅が、凸部の場合に比べ大幅に減少する。
（３）  溝を構成しその中に樹脂モルタルを充填した場合、樹脂モルタルが透水性を有するため、水を溝内で導き路面上の水のあふれを防止する。
【発明を実施するための最良の形態】
【００２１】
以下好適な実施例に基づいて本発明をより詳細に説明する。
【実施例１】
【００２２】
図１（ａ）は、アスファルト舗装路１に道路カッター（図示せず）によって幅１０ｃｍで深さ２ｃｍの溝を研削し、その中に樹脂モルタル２を溝（凹部）から突出しないように充填している。この時のアスファルト舗装は透水性であっても透水性がなくてもよい。
この樹脂モルタル２は、ウレタン系であり、珪砂の骨材（Ｓ）とガラスビーズ（Ｇ）を混合したものである。混合割合は次の通りである。
ウレタン系：１５重量％
珪砂（サイズ、０．１〜１ｍｍ）：５０重量％
ガラスビーズ（サイズ、０．５〜２ｍｍ）：３５重量％
この例では溝にして、この中を水が通過するようにしたものである。
【００２３】
図１（ｂ）は、透水性アスファルト３の骨材４の間隙に樹脂モルタル２を充填したところである。これは透水性舗装のほぼ全面に塗布したもので、全体として視認性が向上し、且つ滑り止め効果も大きい。
【００２４】
図２は、道路の平面図であり、凹部５を点々と設けたものである。凹部５は５ｃｍの直径で深さは２ｃｍである。これは舗装時、硬化する前に円形のものを押し付けて凹部を形成したものである。ローラー等で可能である。
この円形の凹部５に樹脂モルタルを充填する。これも図１（ｂ）とほぼ同様の効果がある。
【００２５】
図３は、図２と同様の図であるが、凹部５が道路を横断する方向に多数設けられている。溝の幅は５ｃｍで深さは３ｃｍである。このような状態に溝を設け、樹脂モルタルを充填すると、水は道路の両側に迅速に排水され、自動車としては大きな滑り止めとなる。よって、傾斜した道路にも好適である。
【００２６】
図４は、図３とは逆に道路の長手方向に平行に溝５を設けて、その中に樹脂モルタルを充填したものである。溝の幅は５ｃｍで深さは３ｃｍである。
このようにすると、道路に沿って水が流れやすくなっているため、通常の舗装では洪水のような非常時にも排水がスムースになる。勿論、滑り止め効果も十分である。
【図面の簡単な説明】
【００２７】
【図１】本発明方法の１例を実施したところの断面図である。
【図２】本発明方法の１例を実施したところの平面図である。
【図３】本発明方法の他の例を実施したところの平面図である。
【図４】本発明方法の他の例を実施したところの平面図である。
【符号の説明】
【００２８】
１  アスファルト舗装路
２  樹脂モルタル
３  透水性アスファルト
４  骨材
５  凹部
【図１】
2008196269.tif 000003
【図２】
2008196269.tif 000004
【図３】
2008196269.tif 000005
【図４】
2008196269.tif 000006